(57)【要約】【課題】  カードの挿着時にカードの先端部がヘッダー部に当接してヘッダー部が破損するのを防止できるカード用コネクタを提供する。【解決手段】  カード３の接続端子と接続される複数個の端子片２が並設されたヘッダー部１ａと、ヘッダー部１ａの両側部から延出して設けられ、カード３の挿入を案内するガイドフレーム部１ｂと、ヘッダー部１ａの両端部に設けられ、ヘッダー部１ａを回路基板に取付けるためのネジ止め部１ｃ、１ｃとを備え、ヘッダー部１ａのカード３が挿入される収納面には、端子片２が並設された部位を除く両端部に、ガイドフレーム部１ｂに挿入されるカード３の前面両端部と当接するカード受け部１ｅ、１ｅを形成した。【選択図】        図３
2005197119.tif 000002
【特許請求の範囲】
【請求項１】
カードの接続端子と接続される複数個の端子片が並設されたヘッダー部と、このヘッダー部の両側部から延出して設けられ、カードの挿入を案内するガイドフレーム部と、前記ヘッダー部の両端部に設けられ、該ヘッダー部を回路基板に取付けるためのネジ止め部とを備え、前記ヘッダー部のカードが挿入される収納面には、前記端子片が並設された部位を除く両端部に、前記ガイドフレーム部に挿入されるカードの前面両端部と当接するカード受け部を形成したことを特徴とするカード用コネクタ。
【請求項２】
前記カード受け部を、カードが挿入される収納面から突出した突起面で形成し、該突起面を前記ネジ止め部の近傍に設けたことを特徴とする請求項１記載のカード用コネクタ。
【請求項３】
前記カード受け部を、前記ヘッダー部のカードが挿入される収納面の回路基板側に形成したことを特徴とする請求項１、又は２記載のカード用コネクタ。
【請求項４】
前記ネジ止め部には、前記ヘッダー部の天面から回路基板側へ下がった位置に段差部を形成し、この段差部でネジ止めしたことを特徴とする請求項１乃至３の何れかに記載のカード用コネクタ。
【請求項５】
前記ガイドフレーム部には、カードの両側部が挿通されるガイド溝を形成し、このガイド溝の終焉部に前記カード受け部を形成したことを特徴とする請求項１乃至４の何れかに記載のカード用コネクタ。
【発明の詳細な説明】
【技術分野】
【０００１】
本発明は、ＰＣなど各種情報端末などに用いられるＩＣカードやメモリーカードなどの各種カードを挿着して使用される、カード用コネクタの構造に関する。
【背景技術】
【０００２】
ＩＣやメモリなどを組み込んだカードとしてはＩＣカードやメモリーカードなどが広く使用さるようになってきている。このＩＣカードやメモリカードなどと機器側の回路基板とを電気的に接続するためにカード用コネクタが用いられている。
【０００３】
従来のカード用コネクタとしては、カードの接続端子と接続される複数個の端子片が並設された絶縁材からなるハウジングと、このハウジングの上面に取付けられた金属板からなるシールドカバーとで構成されたカード用コネクタが知られている（例えば、特許文献１参照）。
【０００４】
以下、従来のカード用コネクタの構造を図に基づいて説明する。
図７及び図８は従来のカード用コネクタの構造を示し、図７は回路基板に取付けた状態のカード用コネクタを示す断面図、図８はハウジングを示す平面図である。
【０００５】
絶縁材の成形品からなるコ字状のハウジング５１は、図７に示すように基部５１ａと、基部５１ａの両端部に対向して設けられ、収容部５１ｂを形成したガイド側壁５１ｃと、基部５１ａの後部の隅部に設けられた角状の切り欠き部５１ｄとを有している。
【０００６】
また、複数個のＬ字状の端子片５２は、ハウジング５１の基部５１ａに埋設されて取り付けられ、一端は収容部５１ｂ内に突出すると共に、他端は基部５１ａの後方から突出した状態となっている。
【０００７】
また、ばね性の有る金属板からなるシールドカバー５４は、上面板部５４ａと、上面板部５４ａに孔を設けて一列に形成されたばね性の有る腕部５４ｂと、後部に形成された取付け脚５４ｄとを有し、取付け脚５４ｄには、脚部５４ｅと、取付け部５４ｇが形成されている。そして、シールドカバー５４は、取付け脚５４ｄをハウジング５１の切り欠き部５１ｄに合わせた状態でハウジング５１の上面を覆うようにハウジング５１に取り付けられている。
【０００８】
このカード用コネクタは、コンピュータなどの回路基板５６に取り付けられて使用されるが、ナット５８を切り欠き部５１ｄに挿入して、取付け脚５４ｄの取付け部５４ｇ上にナット５８を載置し、取付け部５４ｇと回路パターン５７を接触した後ネジ５９で締め付けて取り付ける。この時、端子片５２が回路パターン５７に接続された状態となっている。
【０００９】
カード６０は、シールドカバー５４とハウジング５１とに抜き差しできるようになっており、カード６０がハウジング５１の収納部５１ｂに挿入された際には、端子片５２と接続されるものとなる。この時、カード６０の先端部が、収納部５１ｂの前面の基部５１ａと当接して、カード６０が適宜位置に保持されるものとなっている。
【００１０】
【特許文献１】特開２０００−１２１６４号公報
【発明の開示】
【発明が解決しようとする課題】
【００１１】
しかしながら、従来のカード用コネクタの構成においては、カードをカード用コネクタのハウジングの収納部に挿着する際に、カードの先端部がハウジングの基部（ヘッダー部）前面と当接して保持される構成となっており、このヘッダー部前面でカードの押し込み時の力を受けるので、何らかの理由でカードに過度の荷重が加わった場合には、ヘッダー部が破損してしまうという問題があった。
【００１２】
したがって、本発明では上述した問題点を解決し、カードの挿着時にカードの先端部がヘッダー部に当接してヘッダー部が破損するのを防止できるカード用コネクタを提供することを目的とする。
【課題を解決するための手段】
【００１３】
上記課題を解決するために本発明では第１の解決手段として、カードの接続端子と接続される複数個の端子片が並設されたヘッダー部と、このヘッダー部の両側部から延出して設けられ、カードの挿入を案内するガイドフレーム部と、前記ヘッダー部の両端部に設けられ、該ヘッダー部を回路基板に取付けるためのネジ止め部とを備え、前記ヘッダー部のカードが挿入される収納面には、前記端子片が並設された部位を除く両端部に、前記ガイドフレーム部に挿入されるカードの前面両端部と当接するカード受け部を形成した構成とした。
【００１４】
また、第２の解決手段として、前記カード受け部を、カードが挿入される収納面から突出した突起面で形成し、該突起面を前記ネジ止め部の近傍に設けた構成とした。
また、第３の解決手段として、前記カード受け部を、前記ヘッダー部のカードが挿入される収納面の回路基板側に形成した構成とした。
【００１５】
また、第４の解決手段として、前記ネジ止め部には、前記ヘッダー部の天面から回路基板側へ下がった位置に段差部を形成し、この段差部でネジ止めした構成とした。
また、第５の解決手段として、前記ガイドフレーム部には、カードの両側部が挿通されるガイド溝を形成し、このガイド溝の終焉部に前記カード受け部を形成した構成とした。
【発明の効果】
【００１６】
上述したように、本発明のカード用コネクタは、カードの接続端子と接続される複数個の端子片が並設されたヘッダー部と、ヘッダー部の両側部から延出して設けられ、カードの挿入を案内するガイドフレーム部と、ヘッダー部の両端部に設けられ、ヘッダー部を回路基板に取付けるためのネジ止め部とを備え、ヘッダー部のカードが挿入される収納面には、端子片が並設された部位を除く両端部に、ガイドフレーム部に挿入されるカードの前面両端部と当接するカード受け部を形成したことから、カードの挿着時に何らかの理由でカードに過度の荷重が加わったとしても、ヘッダー部の両端部でカードを受けるので、端子片と回路基板との接続部に過大な荷重が加わることがなく、ヘッダー部の破損を防止できる。
【００１７】
また、カード受け部を、カードが挿入される収納面から突出した突起面で形成し、突起面をネジ止め部の近傍に設けたことから、カードの前面両端部を確実に受けることができ、このカード受け部が、ヘッダー部を回路基板にネジ止めするネジ止め部の近傍に設けられているので、強固な受け部が形成できる。
また、カード受け部を、ヘッダー部のカードが挿入される収納面の回路基板側に形成したことから、カードの挿着時に、押し込まれた時の受け面が、ヘッダー部を回路基板に取付けた際の取付け面側に形成されているので、カード受け部の強度アップが図れる。
【００１８】
また、ネジ止め部には、ヘッダー部の天面から回路基板側へ下がった位置に段差部を形成し、この段差部でネジ止めしたことから、カードの挿着時に、押し込まれた時の受け面に加わる力を回路基板側で受けることになるので、カード受け部の強度アップが図れる。
また、ガイドフレーム部には、カードの両側部が挿通されるガイド溝を形成し、このガイド溝の終焉部にカード受け部を形成したことから、カードの挿着時に、確実に、カード受け部でカードの前面両端部を受けることができる。
【発明を実施するための最良の形態】
【００１９】
以下、本発明の実施形態を図１乃至図６に示す。図１はカード用コネクタの平面図、図２はカード用コネクタの正面図、図３はカード挿着時のカード用コネクタの平面図、図４はカード用コネクタの他の実施例を示す平面図、図５はカード用コネクタの他の実施例を示す正面図、図６はカード用コネクタの更に他の実施例を示す平面図である。
【００２０】
図１及び図２において、ハウジング１は、合成樹脂等の絶縁材からなり、略Ｈ字状に形成されている。このハウジング１の中央には、導電性の金属材からなる複数個の端子片２が並設されたヘッダー部１ａが形成されており、このヘッダー部１ａの両側部には、対向してアーム状に延出して設けられた一対のガイドフレーム部１ｂ、１ｂが形成されている。また、前記ヘッダー部１ａの両端部には、該ヘッダー部１ａを電子機器などの回路基板（図示せず）に取付けるための上下に貫通した貫通孔を有する一対のネジ止め部１ｃ、１ｃが設けられている。
【００２１】
前記端子片２は、その基部が前記ハウジング１のヘッダー部１ａに一体的に埋設されており、一端側には、前記ガイドフレーム部１ｂの延出方向と同じ方向に延出されて、ハウジング１に挿着されるカード３の接続端子（図示せず）と接続されるコンタクト部２ａが設けられている。また、他端側には、コンタクト部２ａとは対向する反対方向に延出されて、電子機器などの回路基板（図示せず）に形成された導電パターン（図示せず）と接続される外部接続部２ｂが設けられている。また、前記コンタクト部２ａは、前記ヘッダー部１ａの正面に上下方向に２列平行に並設されて形成されており、前記ハウジング１の後方へ延出された前記外部接続部２ｂとそれぞれ電気的に導通している。
【００２２】
また、前記ガイドフレーム部１ｂ、１ｂには、先端から基部に沿って連続する凹状のガイド溝１ｄ、１ｄが形成されている。このガイド溝１ｄ、１ｄは、互いに対向するように配置されており、このガイド溝１ｄ、１ｄにカード３の両側部が挿通されて挿着位置に案内されるものとなっている。前記ガイドフレーム部１ｂ、１ｂとヘッダー部１ａとで囲まれた空域がカード３が挿入される収納部となっている。
【００２３】
また、前記ヘッダー部１ａのカード３が挿入される収納面には、前記端子片２が並設された部位を除く位置の両端部に、前記ガイドフレーム部１ｂのガイド溝１ｄ、１ｄに挿入されるカード３の前面両端部と当接する、一対のカード受け部１ｅ、１ｅが形成されている。また、このカード受け部１ｅ、１ｅは、前記ガイド溝１ｄ、１ｄの奥方である終焉部に位置するように形成されており、カード３が挿入される収納面から突出した突起面で形成されている。また、前記カード受け部１ｅ、１ｅは、前記ヘッダー部１ａを回路基板にネジ止めして取付ける前記ネジ止め部１ｃ、１ｃの近傍に設けられている。
【００２４】
また、前記ハウジング１の底面側には、前記ヘッダー部１ａの中央及び両端部に、前記ヘッダー部１ａからガイドフレーム部１ｂの延出方向へそれぞれ延出する支持板部１ｆが形成されており、また、前記ネジ止め部１ｃ、１ｃの近傍の底面側には、位置決め用のボス１ｇが設けられている。
【００２５】
前記ハウジング１からなるカード用コネクタを、図示しない電子機器等の回路基板に取付ける場合には、図２に示すように、前記ハウジング１を回路基板上に載置した状態で前記ネジ止め部１ｃ、１ｃにネジ４を挿入して裏側からナットなどで締め付けてネジ止めする。この時、前記位置決め用のボス１ｇが、回路基板に設けられた位置決め用の穴に係合され適宜位置に位置決めされるものとなる。そして、前記ヘッダー部１ａから延出する外部接続部２ｂを、図示しない回路基板の導電パターンと半田付けして接続することで回路基板上に取付けられる。
【００２６】
図３は、上記のカード用コネクタにカード３を挿着した状態を示しており、この場合、カード３の両側部が前記ガイドフレーム部１ｂのガイド溝１ｄ、１ｄに挿通されて奥方まで挿入されており、カード３の接続端子（図示せず）が前記ヘッダー部１ａに配設された前記コンタクト部２ａと接続されて電気的に導通した状態となっている。
【００２７】
また、前記カード３の前面両端部が、前記ヘッダー部１ａの両端部に形成された前記カード受け部１ｅ、１ｅに当接された状態となっており、このカード受け部１ｅ、１ｅによってカード３がカード挿着位置に位置決めされた状態で保持されている。この時、前記カード受け部１ｅ、１ｅは、カード３が挿入される収納面から突出した突起面で形成されているので、カード３の前面両端部を確実に受けることができ、適宜位置に位置決めされるものとなる。
【００２８】
この場合、図３に示すように、カード３の前面部中央は、前記ヘッダー部１ａの前記コンタクト部２ａが配設された収納面とは一定の隙間Ｓを維持して離間しており、この状態で、カード３を押し込む方向に過大な力が作用したとしても、前記カード受け部１ｅ、１ｅによって荷重を受けることから、前記コンタクト部２ａに過大な荷重が加わることがなく、前記外部接続部２ｂと図示しない回路基板の導電パターンとの半田付け部が外れたり、前記ヘッダー部１ａが破損することを防止できるものとなっている。
【００２９】
また、前記カード受け部１ｅ、１ｅは、前記ハウジング１を回路基板にネジ止めして取付けるための前記ネジ止め部１ｃ、１ｃの近傍（本実施例においては手前側の若干内側の位置）の位置に形成されており、強固な受け部となるように形成されている。
尚、この場合、前記カード受け部１ｅ、１ｅと前記ネジ止め部１ｃ、１ｃとを、同一軸線上に形成するようにすれば、荷重の中心をネジ止め部１ｃ、１ｃで受けることができるので、更に強固な受け部が形成できる。
【００３０】
また、前記ガイドフレーム部１ｂには、カード３の両側部が挿通される前記ガイド溝１ｄ、１ｄが形成されており、このガイド溝１ｄ、１ｄの奥方である終焉部に前記カード受け部１ｅ、１ｅを形成してあるので、カード３の挿着時には、確実に、前記カード受け部１ｅ、１ｅによってカード３の前面両端部を受けることができるものとなっている。
【００３１】
上記した実施例の構成によれば、前記ヘッダー部１ａのカード３が挿入される収納面の前記端子片２が並設された部位を除く両端部に、前記ガイドフレーム部１ｂに挿入されるカード３の前面両端部と当接する前記カード受け部１ｅ、１ｅを形成するようにしたことから、カード３の挿着時に、何らかの理由でカード３に過度の荷重が加わったとしても、前記ヘッダー部１ａの両端部に設けた前記カード受け部１ｅ、１ｅでカード３を受けることになるので、前記端子片２と回路基板との接続部に過大な荷重が加わることがなく、前記ヘッダー部１ａの破損を防止できるものとなっている。
【００３２】
図４及び図５は、本発明のカード用コネクタの他の実施例を示しており、この場合、上記した実施例の構成と異なるのは、前記カード受け部１ｅ、１ｅの構成が一部相違する点である。
尚、上記実施例の構成と同一構成部品については同一符号を付してその詳細な説明は省略する。
【００３３】
すなわち、本実施例のカード受け部１ｈ、１ｈは、前記端子片２が並設された部位を除く前記ヘッダー部１ａの両端部に形成され、前記ガイド溝１ｄ、１ｄの奥方である終焉部に位置して、カード３が挿入される収納面から突出した突起面で形成されている点、及び前記ヘッダー部１ａを回路基板にネジ止めして取付ける前記ネジ止め部１ｃ、１ｃの近傍に設けられている点では同一の構成であるが、図５に示すように、このカード受け部１ｈ、１ｈを、前記ヘッダー部１ａのカード３が挿入される収納面の回路基板側の下がった位置にのみ形成した点で相違している。
【００３４】
本実施例では、このカード受け部１ｈ、１ｈを、前記ヘッダー部１ａのカード３が挿入される収納面の回路基板側の下がった位置にのみ形成するようにしてあり、カード３の挿着時に、押し込まれた時の受け面が、前記ヘッダー部１ａを回路基板に取付けた際の取付け面側である下方に形成されているため、カード受け部１ｈ、１ｈに加わる荷重の応力が回路基板側に作用することになるので、カード受け部１ｈ、１ｈの強度アップが図れるものとなっている。
【００３５】
図６は、本発明のカード用コネクタの、更に他の実施例を示しており、この場合、上述した実施例の構成と異なるのは、前記ネジ止め部１ｃ、１ｃの構成が一部相違する点である。
尚、上記実施例の構成と同一構成部品については同一符号を付してその詳細な説明は省略する。
【００３６】
すなわち、本実施例のネジ止め部１ｉ、１ｉは、前記ヘッダー部１ａの両端部に、該ヘッダー部１ａを電子機器などの回路基板（図示せず）に取付けるための上下に貫通した貫通孔で形成した点では同一の構成であるが、図６に示すように、前記ヘッダー部１ａの天面から回路基板側へ下がった位置に段差部１ｊを形成して、この段差部１ｊでネジ止めするようにした構成において相違している。
【００３７】
本実施例では、ヘッダー部１ａを電子機器などの回路基板に取付けるためのネジ止め部１ｉ、１ｉを、前記ヘッダー部１ａの天面から回路基板側へ下がった位置に段差部１ｊ、１ｊを形成して、この段差部１ｊ、１ｊでネジ止めするようにしてあり、前記ヘッダー部１ａの下面側でしっかりと回路基板に固定されるため、カード３の挿着時に、押し込まれた時の受け面に加わる力を回路基板側で受けることになるので、カード受け部１ｅ、１ｅの強度アップが図れるものとなっている。
【図面の簡単な説明】
【００３８】
【図１】本発明の一実施例であるカード用コネクタを示す平面図である。
【図２】本発明の同じくカード用コネクタを示す正面図である。
【図３】本発明の同じくカード挿着時のカード用コネクタを示す平面図である。
【図４】本発明のカード用コネクタの他の実施例を示す平面図である。
【図５】本発明のカード用コネクタの他の実施例を示す正面図である。
【図６】本発明のカード用コネクタの更に他の実施例を示す平面図である。
【図７】従来の回路基板に取付けた状態のカード用コネクタを示す断面図である。
【図８】従来のカード用コネクタのハウジングを示す平面図である。
【符号の説明】
【００３９】
１：ハウジング
１ａ：ヘッダー部
１ｂ：ガイドフレーム部
１ｃ：ネジ止め部
１ｄ：ガイド溝
１ｅ：カード受け部
１ｆ：支持板部
１ｇ：ボス
１ｈ：カード受け部
１ｉ：ネジ止め部
１ｊ：段差部
２：端子片
２ａ：コンタクト部
２ｂ：外部接続部
３：カード
４：ネジ
【図１】
2005197119.tif 000003
【図２】
2005197119.tif 000004
【図３】
2005197119.tif 000005
【図４】
2005197119.tif 000006
【図５】
2005197119.tif 000007
【図６】
2005197119.tif 000008
【図７】
2005197119.tif 000009
【図８】
2005197119.tif 000010